(57)【要約】【課題】開封容易で、開口部より収納物をスムーズに取り出すことが出来、且つ開封後の閉蓋状態も良好な粉体用カートンを提供する。【解決手段】  互いに連設した正面板、右側面板、背面板及び左側面板で構成される周壁と、この周壁の底部を密封する底面板を備え、上部を開口された箱本体と、この上部開口部を覆う、天面板と、この天面板から外側に各々折り曲げ線を介して垂下する前板と右板、背板および左板で構成された開閉自在な蓋材とを有する粉体用カートンにおいて、閉蓋した際の箱本体と蓋材との係合に優れ、且つ、横倒しした際に粉漏れを防ぐことができ、さらに、防湿性にも優れている粉体用カートンである。【選択図】図１
2007084129.tif 000002
【特許請求の範囲】
【請求項１】
互いに連設した正面板、右側面板、背面板及び左側面板で構成される周壁と、この周壁の底部を密封する底面板を備え、上部を開口された箱本体と、この上部開口部を覆う、天面板と、この天面板から外側に各々折り曲げ線を介して垂下する前板と右板、背板および左板で構成された開閉自在な蓋材とを有する粉体用カートンにおいて、
前記正面板、右側面板、背面板及び左側面板は、その上方に各々、折り返し線を返して連設された補強板があって、この折り返し線から折り返して各々、内面側上部に接着された補強板を備え、
前記正面板の上方近傍中央に正面係合部を備え、
前記蓋材の背板の、下方の左右両端の一部分を除き、折り曲げ線を介してヒンジ結合板が設けられ、このヒンジ結合板が箱本体の背面板の上方近傍で接着接合されており、
前記蓋材の前板の下方先端中央に逆蒲鉾状のつまみ部を備え、
前記つまみ部の略中央に前記正面係合部外形よりも大きな略同形のつまみ係合部を設け、正面係合部表側面とつまみ係合部裏側面が接着接合されており、蓋材のつまみ部で上部開口部を開蓋したときにつまみ部中央に係合孔が形成され、蓋材で上部開口部を閉蓋したとき、前記正面係合部上で係合孔がつまみ係合部と互いに係合することを特徴とする粉体用カートン。
【発明の詳細な説明】
【技術分野】
【０００１】
本発明は、家庭用粉体洗剤などの粉体を収納するための粉体用カートンに関する。特に上部開口部が補強された箱本体と、この上部開口部を覆う封緘紙と開閉自在の蓋部とから構成された粉体用カートンに関する。
【背景技術】
【０００２】
従来のこの種の粉体用カートンの例としては、図８あるいは図９に示すように、１枚のブランクから組み立てて、正面１４２および両側面１４３を外箱１４４と内胴１４１の二重構造とし、外箱１４４の正面１４２および両側面１４３にわたって設けた開封ジッパー１４６を介して背面にヒンジ部１４７を形成した容器本体を開閉自在の開閉蓋部１４８と内胴１４１とに二分した角筒状の洗剤用紙製容器１４０が知られていた。
【０００３】
また、前板、両側板、後板、底板等が折り曲げ線を介して順に連設されたブランク板を折り畳むことによって、ケース状の箱を構成し、上部開口部にプラスチック成形蓋をかぶせた洗剤用紙製容器も使用されている。さらに、前記プラスチック成形蓋に替えて、紙製蓋を用いる構造も使用されている。
【０００４】
（１）先行技術１
開蓋操作が極めてスムーズで、しかも開閉回数が増えても係合が甘くなるようなことがなく、不使用時などに外力が作用しても蓋部が簡単に開いてしまうようなことのないロック機構を備えた粉体用カートン（例えば、特許文献１参照。）が知られている。
【０００５】
この粉体用カートン１００は図１０に示すように蓋部１０１の前板１０２の下縁中央部につまみ片１０４を下向きに突設し、該つまみ片１０４の内側には凸状の係合片１０３が切り込まれている。そして、該係合片１０３の左右の下端部と前記つまみ片１０４の左右の上端部との間に水平な折り罫線１０５を刻設し、該折り罫線１０５を回動中心として、つまみ片１０４と係合片１０３の全体が回動自在となっている。
【０００６】
さらに、箱本体の正面板１０７には、蓋部１０１の係合片１０３と相対する位置に、係合片１０３を挿入可能な大きさの係合孔１０８が形成されている。そして、回動する係合片１０３とを該係合穴１０８と間隙内にコハゼ掛けに挿入するようになっている。
【０００７】
（２）先行技術２
また、消費者が使用開始に際して封緘材を取り除くときに誤って係止舌片をひき剥がすことを防止するとともに、粒状物の機械的な充填を可能とし、封緘材の糊付けの際誤って係止舌片に糊付けされるのを防止する厚紙カートン容器（例えば、特許文献２参照。）も知られている。
【０００８】
この、厚紙カートン容器２００は図１１に示すように蓋材１１１と封緘材１１２と容器本体（ボックス）１１３、把手１１４から形成されている。そして、封緘材１１２を取り除き使用開始する前の状態において、係止舌片１１５が表面板１１６に沿う位置状態に施されている。
【０００９】
以下に先行技術文献を示す。
【特許文献１】特開２００４−２３１２５４号公報
【特許文献２】特開平７−２９１２６９号公報
【発明の開示】
【発明が解決しようとする課題】
【００１０】
（１）先行技術１について
先行技術１では、蓋部をロックする際には、つまみ片の下方を手前に引くようにして係合片を係合穴に挿入しなければロック機能が発揮されない。このために余分な手間がかかる。
【００１１】
さらに、開蓋する際にも、つまみ片を摘んで係合片を係合穴から外してやらなければ箱本体の上部開口部が形成されないという問題がある。
【００１２】
（２）先行技術２について
先行技術２では、容器本体（ボックス）と蓋材の係合は蓋の前面フラップ裏側の係止凹部内に係止舌片が嵌まり込むことにより蓋のロッキングが行われている。そして、この蓋のロッキングは厚紙の弾性力により係止舌片が前方側に突きでるために成されている。
【００１３】
この構造では、係止舌片が係合する蓋の係止凹部は紙の厚さだけであるために、蓋や容器本体（ボックス）に歪み等が生じた場合にはロッキング機能が損なわれるという問題がある。また、ロックしている部分が見えない為に消費者にとっては認識しにくく、且つ、不安になるという問題がある。
【００１４】
本発明は上記した従来の問題点を鑑みてなされるものであり、次のような粉体用カートンを提供することを目的とする。すなわち、本発明の第１の目的は、収納物を使用する際の開蓋や、使用後の閉蓋に手間がかかることなく、容易に、安定してできる。そして、開封後の閉蓋状態にも優れている粉体用カートンを提供することである。
【００１５】
また、本発明の第２の目的は、カートンの横倒し時でも収納物である洗剤等の粉体の漏れを防止できる粉体用カートンを提供することである。
【００１６】
また、本発明の第３の目的は、開封前の密封性に優れ、且つ、再封時の封緘性に優れており、また、再封状態が外部から一目で確認できる粉体用カートンを提供することである。
【課題を解決するための手段】
【００１７】
上記の課題を解決するために、まず本発明の請求項１に係る発明は、
互いに連設した正面板、右側面板、背面板及び左側面板で構成される周壁と、この周壁の底部を密封する底面板を備え、上部が開口された箱本体と、この上部開口部を覆う、封緘紙と開閉自在な蓋を備えた粉体カートンにおいて、
前記正面板と、右側面板と、背面板と、左側面板は、その上方に折り返し線を介して連設された補強板があって、この折り返し線から折り返して、各面板の内面板上部に接着された補強板を備え、
前記封緘紙は上部開口部を覆い、開口部周縁で接着されており、
前記蓋は上部開口部を覆う天面板と、この天面板から正面板の外面側に垂下する前板と、右側面板の外面側に垂下する右板と、左側面板の外面側に垂下する左板と、背面板の外面側に垂下する背板およびヒンジ結合板とを備え、
前記５個の垂下板は、互いに折り曲げ線を介して連設されており、
前記ヒンジ結合板を除く、４個の垂下板は内面側四隅が接着されてつながれており、
前記前板の下方中央に下向きに突設されたつまみ部が設けられており、
前記正面板の上方近傍中央に正面係合部が設けられており、
前記つまみ部の中央に抜き取り可能なつまみ係合部が設けられており、
前記正面係合部の外面側とつまみ係合部内面側が接着されており、蓋で上部開口部を開蓋したとき、つまみ係合部が抜き取られ係合穴が設けられ、蓋材で上部開口部を閉蓋したとき、前記正面係合部上で係合穴がつまみ係合部と互いに係合することを特徴とする粉体用カートンである。
【発明の効果】
【００１８】
本発明の粉体用カートンは収納物を使用する際の開蓋や、使用後の閉蓋に手間がかかることなく、容易に、安定してできる。また、開封後の閉蓋状態にも優れている。
【００１９】
さらに、本発明の粉体用カートンはカートンの横倒し時でも収納物である洗剤等の粉体が漏れることがない。
【００２０】
また、開封前の密封性に優れ、且つ、再封時の封緘性に優れている。また、外部から一目で再封が確認できる。
【発明を実施するための最良の形態】
【００２１】
本発明の粉体用カートンを実施の形態に沿って以下に図面を参照しながら詳細に説明する。
【００２２】
図１は本発明の粉体用カートンの構成の一実施例の概略を示す斜視図である。また、図２（ａ）は本発明の粉体用カートンの開封前の外観を示す斜視図である。（ｂ）は開封状態を示す斜視図である。
【００２３】
図１に示すように本発明の粉体用カートン１０は上方に開口部が形成されている箱本体１と封緘紙７と蓋８から構成されている。
【００２４】
前記箱本体１は正面板２、背面板３、側面板４、５、及び図１には図示されない底面板を有している。そして、正面板２、背面板３、側面板４、５、の上方は、折り曲げ線を介して補強板が折り畳まれている。従って、正面板２、背面板３、側面板４、５、の上方部は、表側面と裏側面が重ね合わされた２重構造になっている。
【００２５】
前記折り曲げ線は箱本体１に使用される板紙等の厚さ、材質又は材質構成等によって、折り曲げ線の代わりに半切れ目線が用いられる。
【００２６】
また、箱本体１の正面板の上方近傍中央に、後述するように、蓋８と係合する正面係合部５９が形成されている。該係合部５９は、図６に示すように、逆蒲鉾状の円弧周縁３４には切れ目線が設けられている。また、逆蒲鉾状の中央の把手状外周縁３５にも切れ目線が設けられている。
【００２７】
また、逆蒲鉾状の円弧周縁３４の上方方向位置には水平な折り曲げ線３６が設けられている。そして、折り曲げ線３６の両端には係止穴に係止する円弧状の突起部６１が突設されている。
【００２８】
次に、箱本体１の上方の開口部には、封緘材としての封緘紙７が貼り付けられる。封緘紙７としては、例えば、ＯＰＰ（配向ポリプロピレン）フイルムを薄葉紙でサンドイッチした構造のラミネートシートや、ＰＥＴ（ポリエチレンテレフタレート）フイルムをグラシンでサンドイッチした構造のラミネートシートを用いることができる。
【００２９】
また、ホットメルトにより、箱本体１の上方部に接着させる場合には、グラシン紙／Ｐ
ＥＴフイルム／ＰＥ（ポリエチレン）フイルム／ホットメルト接着剤層の積層構造のラミネートシートを用いることができる。
【００３０】
前記封緘紙７は、箱本体１に収納する洗剤などの粉体物を自動計量し、充填した後に貼り付けられる。
【００３１】
また、箱本体１と蓋８は、図５に示すように箱本体１の背面板の上方で、蓋８の天面板９に垂下する背板１４の下方に、折り曲げ線を介して連設されているヒンジ結合板１６部分が接着剤等により接着接合されている。そして、前記折り曲げ線によって蓋８が自在に開閉される。
【００３２】
前記蓋８は天面板９、前板１１、右板１２、左板１３、背板１４、ヒンジ結合板１６を有している。また、前板１１の下方の中央につまみ部１５が下向きに突設されている。
【００３３】
また、蓋８を形成するブランク板は図３に示すように天面板９の外側に各々折り曲げ線２２〜２５を介して前板１１、右板１２、左板１３、背板１４が形成されている。また、背板１４の外側中央に折り曲げ線３０を介して箱本体１の背面板と接着接合するヒンジ結合部１６が形成されている。
【００３４】
また、右板１２の左右に折り曲げ線２６、２７を介して右板左糊片１９と右板右糊片１８が形成されている。そして、左板１３の左右にも折り曲げ線２９、３０を介して左板左糊片２１と左板右糊片２０が形成されている。
【００３５】
また、前板１１の外側中央には、つまみ部１５が下向きに突設されている。そして、図２（ａ）に示すようにつまみ部１５の略中央に、箱本体１の上方開口部を覆った時に逆蒲鉾状３２のつまみ係合部１７が形成されている。
【００３６】
前記つまみ係合部１７は、図７に示すように、逆蒲鉾状の外周縁３２には切れ目線が設けられている。そして、切れ目線の１〜３箇所に０．５〜２．０ｍｍ程度の幅のつなぎ部３３が設けられている。
【００３７】
また、箱本体１の正面板２の上方近傍中央に形成している正面板係合部５９の表側面とつまみ係合部１７の裏側面が接着剤等で接着される。
【００３８】
そして、開蓋する際につまみ部１５を引っ張り、上側に持ち上げることにより、図２（ｂ）に示すようにつまみ係合部１７は正面板係合部上に接着接合され、つまみ部１５のつまみ係合部跡に係合穴６０が設けられる。
【００３９】
次に、図４は本発明の粉体用カートンの箱本体が形成されるブランクの一実施例を示す平面図である。
【００４０】
図４に示すように箱本体のブランク５８は接合面板３７が折り曲げ線３８を介して背面板３と連設されている。そして、背面板３と側面板４と正面板１と側面板５がこの順序で折り曲げ線３９、４０、４１を介して連設されている。
【００４１】
また、背面板３と側面板４と正面板１と側面板５の各々上方に折り曲げ線４３、４５、４７、４９を介して各々背面補強板５０、側面補強板５１、正面補強板５２、側面補強板５３連設されている。
【００４２】
また、背面板３と側面板４と正面板１と側面板５の各々下方に折り曲げ線４２、４４、
４６、４８を介して各々背面フラップ５４、側面フラップ５５、正面フラップ５６、側面フラップ５７連設されている。そして、正面板１の上方近傍中央に逆蒲鉾状の正面係合部５９が形成されている。
【００４３】
前記各折り曲げ線３８〜４９はブランクに使用される板紙等の厚さ、材質又は材質構成等によって、折り曲げ線の代わりに半切れ線が用いられる。
【００４４】
また、粉体用カートンに収納されている洗剤等の収納物が使用し終わり、該カートンを廃棄し易いように両側面板４、５に逆Ｙの字状６の折り目線が形成されている。
【００４５】
また、本発明の粉体剤用カートンが作製される箱本体又は蓋のブランクの板紙は特に限定されるものではないが、例えばアイボリー紙、ポストカード、両面カード紙、マニラボール紙、白ボールである白板紙等、通常の板紙を使用することができる。
【００４６】
また、前記板紙に耐水性あるいは耐薬品性等を附与することが好ましい。板紙に耐水性あるいは耐薬品性を附与する方法としては板紙を抄造加工するときに行う方法と抄造加工された板紙に含浸あるいは塗工する方法でなされる。
【００４７】
前記板紙に耐水性を抄造加工時に付与する場合、例えば、添加される耐水剤は、通常、抄紙前のパルプ縣濁液に内添する内添耐水剤であり、湿潤紙力増強剤として、尿素―ホルムアルデヒド樹脂、メラミンーホルムアルデヒド樹脂、エポキシ化ポリアミド樹脂、ポリエチレンイミン樹脂、ジアルデヒドでんぷん、グリオキザール化ポリアクリルアミド樹脂等がある。
【００４８】
また、この耐水剤の添加量は、使用するパルプの種類、薬剤の種類や目的とする耐水性により異なる。
【００４９】
さらに、抄造加工された板紙に耐水性を附与す二次加工用薬剤としては、価格あるいは性能等のバランスが優れているカルナバワックス、パラフィン系ワックス、ポリエチレンワックス等のワックスが多く使用されている。
【００５０】
また、水に不溶なポリ塩化ビニル、ポリ塩化ビニリデン、ポリ酢酸ビニル、エチレンー酢酸ビニル共重合体、塩化ビニリデンー酢酸ビニル共重合体などの高分子溶液あるいはエマルジョンが用いられる。
【００５１】
また、前記抄造加工された板紙に耐水剤あるいは耐薬品剤等の加工に際しては、ロールコーター、エアナイフコーター、メタリングバーコーター、ファウンテンブレードコーター、ベベルブレードコーター、ショート・ドゥエルコーターあるいはカーテンコーター等が使用できる。そして、特に限定されないがいずれかの適宜の塗工機を用いて板紙の表側面あるいは裏側面または両側面に耐水剤あるいは耐薬品剤等が塗工される。
【００５２】
また、板紙の積層体、例えば、板紙／高分子層（ポリエチレン、ポリプロピレン、ポリ塩化ビニリデンなどの防湿性高分子層）／板紙も例示できる。
【００５３】
さらに、板紙にホットメルト樹脂塗工あるいはワックスエマルジョン塗工したものも例示できる。
【００５４】
そして、収納する重さ、流通・保存条件等によって、カートンの強度、腰、外観等を保持することから板紙の坪量は１８０〜７５０ｇ／ｍ2位のもの、好ましくは、４５０〜６５０ｇ／ｍ2位のものを使用することが望ましい。
【００５５】
また、板紙の表側面、裏側面に適宜の絵柄、模様、彩色、文字等の印刷表示を施すことができる。
【００５６】
そして、印刷は凸版印刷、あるいはオフセット印刷またはグラビア印刷、フレキソ印刷あるいはスクリーン印刷等のいずれかの印刷方式が適宜選定される。
【００５７】
また、流通条件または店頭販売条件等により印刷加工が施された印刷面を保護するための表面加工も施される。
【００５８】
さらに、印刷された表面をより美しく綺麗に見栄え良くするためにグロスオーバープリントワニス加工を施すこともできる。
【００５９】
また、板紙に印刷されている上にポリエチレン（ＰＥ）あるいはポリプロピレン（ＰＰ）またはポリエチレンテレフタレート（ＰＥＴ）、ポリイミド（ＰＩ）、ポリアクリロニトリル（ＰＡＮ）、ポリ塩化ビニル（ＰＶＣ）等の樹脂を熱溶融して塗布する押し出しコーティング加工か、あるいはフイルムになったものを貼り合わせるラミネート加工などを用いて、印刷されている表面の光沢と艶を増すことができる。
【産業上の利用可能性】
【００６０】
本発明の粉体用カートンは粉体あるいは粒体の家庭用洗剤を効果的に収納し得るカートンとして優れていることはもとより、小麦粉、砂糖等の食品用カートン、粉末殺虫剤、除草剤等の農産用カートン分野にも利用できるなど、広い分野に利用できる。
【図面の簡単な説明】
【００６１】
【図１】本発明の粉体用カートンの構成の一実施例の概略を示す斜視図である。
【図２】（ａ）本発明の粉体用カートンの開封前の状態の概略を示す斜視図である。（ｂ）粉体用カートンが開蓋された状態の概略を示す斜視図である。
【図３】本発明の洗剤用カートンの蓋が形成されるブランクの一実施例を示す平面図である。
【図４】本発明の洗剤用カートンの箱本体が形成されるブランクの一実施例を示す平面図である。
【図５】本発明の洗剤用カートンの箱本体と蓋が接着されている状態を説明する説明図である。
【図６】本発明の洗剤用カートンの箱本体に形成される正面係合部を説明するための説明図である。
【図７】本発明の洗剤用カートンの蓋に形成されるつまみ係合部を説明するための説明図である。
【図８】従来の粉体用カートンを説明するための概略図である。
【図９】従来の粉体用カートンを説明するための概略図である。
【図１０】従来の粉体用カートンの概略を示す概略図である。
【図１１】従来の粉体用カートンの概略を示す概略図である
【符号の説明】
【００６２】
１……箱本体
２……正面板
３……背面板
４……側面板
５……側面板
６……逆Ｙの字状
７……封緘紙
８……蓋
９……天面板
１０……粉体用カートン
１１……前板
１２……右板
１３……左板
１４……背板
１５……つまみ部
１６……ヒンジ結合板
１７……つまみ係合部
１８……右板右糊代片
１９……右板左糊代片
２０……左板右糊代片
２１……左板左糊代片
２２……折り曲げ線
２３……折り曲げ線
２４……折り曲げ線
２５……折り曲げ線
２６……折り曲げ線
２７……折り曲げ線
２８……折り曲げ線
２９……折り曲げ線
３０……折り曲げ線
３１……蓋ブランク
３２……逆蒲鉾状
３３……つなぎ部
３４……逆蒲鉾状の円弧周縁
３５……把手状外周
３６……折り曲げ線
３７……接合面板
３８……折り曲げ線
３９……折り曲げ線
４０……折り曲げ線
４１……折り曲げ線
４２……折り曲げ線
４３……折り曲げ線
４４……折り曲げ線
４５……折り曲げ線
４８……折り曲げ線
４９……折り曲げ線
５０……背面補強板
５１……側面補強板
５２……正面補強板
５３……側面補強板
５４……背面フラップ
５５……側面フラップ
５６……正面フラップ
５７……側面フラップ
５８……箱本体ブランク
５９……正面係合部
６０……係合穴
６１……突起部
【図１】
2007084129.tif 000003
【図２】
2007084129.tif 000004
【図３】
2007084129.tif 000005
【図４】
2007084129.tif 000006
【図５】
2007084129.tif 000007
【図６】
2007084129.tif 000008
【図７】
2007084129.tif 000009
【図８】
2007084129.tif 000010
【図９】
2007084129.tif 000011
【図１０】
2007084129.tif 000012
【図１１】
2007084129.tif 000013